(57)【要約】【課題】被切断物から切り離された部分を簡便に集めることができる切断機および切断方法を提供する。【解決手段】切断機１は、第１の回転軸２Ａを軸に回転可能な第１の回転体２と、第２の回転体３を備える。第２の回転体３は、第１の回転軸２Ａと略平行な第２の回転軸３Ａを軸に第１の回転体２の回転方向と逆方向に回転可能である。第２の回転体３は、第１の回転体２から離れて配置されている。切断機１は、第１の回転軸２Ａに対して略平行に第１の回転体２に取付けられた第１の線状部材６と、第２の回転軸３Ａに対して略平行に第２の回転体３に取付けられた第２の線状部材７を備える。回転した第１の回転体２と第２の回転体３との間へ、第１の回転体２の第１の回転方向４および第２の回転体の第２の回転方向５と略同じ方向に被切断物を挿入する。【選択図】図１
2016195550.tif 000002
【特許請求の範囲】
【請求項１】
第１の回転軸を軸に回転可能な第１の回転体と、
前記第１の回転軸と略平行な第２の回転軸を軸に前記第１の回転体の回転方向と逆方向に回転可能であり、かつ、同第１の回転体から離れて配置された第２の回転体と、
前記第１の回転軸に対して略平行に前記第１の回転体に取付けられた第１の線状部材と、
前記第２の回転軸に対して略平行に前記第２の回転体に取付けられた第２の線状部材とを備える
切断機。
【請求項２】
前記第１の回転体は、第１の回転軸を軸に回転可能な、かつ、同第１の回転軸に沿った方向に互いに離れて配置された一対の第１の円盤部を有し、
前記第２の回転体は、第２の回転軸を軸に回転可能な、かつ、同第２の回転軸に沿った方向に互いに離れて配置された一対の第２の円盤部を有する
請求項１に記載の切断機。
【請求項３】
前記第１の線状部材は、前記第１の円盤部から突出した第１の突起部に着脱可能に取付けられ、
前記第２の線状部材は、前記第２の円盤部から突出した第２の突起部に着脱可能に取付けられた
請求項２に記載の切断機。
【請求項４】
前記第１の線状部材および前記第２の線状部材はゴム製である
請求項１、請求項２または請求項３に記載の切断機。
【請求項５】
第１の回転軸に対して略平行に第１の線状部材が取付けられた第１の回転体を同第１の回転軸を軸に回転させると共に、同第１の回転軸と略平行な第２の回転軸に対して略平行に第２の線状部材が取付けられた、かつ、同第１の回転体から離れて配置された第２の回転体を、同第２の回転軸を軸に同第１の回転体の回転方向と逆方向に回転させる回転工程と、
該回転工程で回転した前記第１の回転体と前記第２の回転体との間へ、同第１の回転体の回転方向および同第２の回転体の回転方向と略同じ方向に被切断物を挿入する被切断物挿入工程とを備える
切断方法。
【発明の詳細な説明】
【技術分野】
【０００１】
本発明は切断機および切断方法に関する。詳しくは、例えば、カモミールの花を摘み取るための切断機および切断方法に係るものである。
【背景技術】
【０００２】
古くから、植物の葉や、花や、実が採取され、生薬や食べ物として利用されてきた。例えば、キク科の一種であるカモミールの花は、健胃剤などに利用されてきた。
こうした中、植物の葉や、花や、実を採取するための様々な方法や器具が提案されてきた。
【０００３】
例えば特許文献１には、図４に示すような摘採機が記載されている。
すなわち、特許文献１に記載の摘採機１００は、両側に操作ハンドル（１０１、１０２）を設けた刃物枠１０３の下片の前縁側に静止刃１０４を固定し、この上に往復刃１０５を重ねて、刃物枠１０３の上へ取付けた原動機１０６により往復運動させることにより茶葉を摘採させている。
【０００４】
また、摘採した茶葉は、刃物枠１０３に搭載した送風機１０７から送風管１０８へ送られ、その下部に設けた多数の分岐管１０９から刃物枠１０３内の全幅へ吹き出す風によって、刃物枠１０３の後側へ着脱する収容袋へ収容される。
【先行技術文献】
【特許文献】
【０００５】
【特許文献１】特開平５−５６７１７号公報
【発明の概要】
【発明が解決しようとする課題】
【０００６】
しかしながら、特許文献１に記載された摘採機は、摘採した茶葉を集めるために、わざわざ送風機から吹き出た風によって茶葉を収容袋へ収容させており、送風機や送風管が必要となって構造が複雑化していた。
【０００７】
本発明は、以上の点に鑑みて創案されたものであり、被切断物から切り離された部分を簡便に集めることができる切断機および切断方法を提供することを目的とする。
【課題を解決するための手段】
【０００８】
上記の目的を達成するために、本発明の切断機は、第１の回転軸を軸に回転可能な第１の回転体と、前記第１の回転軸と略平行な第２の回転軸を軸に前記第１の回転体の回転方向と逆方向に回転可能であり、かつ、同第１の回転体から離れて配置された第２の回転体と、前記第１の回転軸に対して略平行に前記第１の回転体に取付けられた第１の線状部材と、前記第２の回転軸に対して略平行に前記第２の回転体に取付けられた第２の線状部材とを備える。
【０００９】
ここで、第１の回転軸を軸に回転可能な第１の回転体と、第１の回転軸に対して略平行に第１の回転体に取付けられた第１の線状部材とによって、第１の回転体の回転に伴って第１の線状部材が動き、第１の線状部材が被切断物に力を付与できる。
【００１０】
また、第１の回転軸と略平行な第２の回転軸を軸に第１の回転体の回転方向と逆方向に回転可能であり、かつ、第１の回転体から離れて配置された第２の回転体と、第２の回転軸に対して略平行に第２の回転体に取付けられた第２の線状部材とによって、第２の回転体の回転に伴って第２の線状部材が動き、第１の回転体との間の空間において第１の線状部材が被切断物に力を付与する方向と略同じ方向に第２の線状部材が被切断物に力を付与できる。
【００１１】
また、第１の回転体との間の空間において第１の線状部材が被切断物に力を付与する方向と略同じ方向に第２の線状部材が被切断物に力を付与できるので、被切断物から切り離された部分を、一定の方向に送出することができる。
【００１２】
また、第１の回転軸に対して略平行に第１の回転体に取付けられた第１の線状部材と、第２の回転軸に対して略平行に第２の回転体に取付けられた第２の線状部材とによって、回転軸に対して略垂直に線状部材を回転体に取付けた場合よりも、被切断物に絡まりにくい。
【００１３】
また、本発明の切断機において、第１の回転体は、第１の回転軸を軸に回転可能な、かつ、第１の回転軸に沿った方向に互いに離れて配置された一対の第１の円盤部を有し、第２の回転体は、第２の回転軸を軸に回転可能な、かつ、第２の回転軸に沿った方向に互いに離れて配置された一対の第２の円盤部を有するものとすることができる。
【００１４】
この場合、第１の回転体と第２の回転体との間に挿入される被切断物から突出する突出物があっても、第１の円盤部同士の間の空間や、第２の円盤部同士の間の空間に突出物が入ることができ、第１の回転体と第２の回転体との間に被切断物を挿入しやすい。
【００１５】
さらに、本発明の切断機において、第１の線状部材は、第１の円盤部から突出した第１の突起部に着脱可能に取付けられ、第２の線状部材は、第２の円盤部から突出した第２の突起部に着脱可能に取付けられたものとすることができる。
【００１６】
この場合、第１の線状部材および第２の線状部材が破損したときに、すぐに新しいものに交換できる。
【００１７】
また、本発明の切断機において、第１の線状部材および第２の線状部材がゴム製である場合、被切断物や、被切断物から切り離された部分や、作業者の指を傷めにくい。
【００１８】
また、上記の目的を達成するために、本発明の切断方法は、第１の回転軸に対して略平行に第１の線状部材が取付けられた第１の回転体を同第１の回転軸を軸に回転させると共に、同第１の回転軸と略平行な第２の回転軸に対して略平行に第２の線状部材が取付けられた、かつ、同第１の回転体から離れて配置された第２の回転体を、同第２の回転軸を軸に同第１の回転体の回転方向と逆方向に回転させる回転工程と、該回転工程で回転した前記第１の回転体と前記第２の回転体との間へ、同第１の回転体の回転方向および同第２の回転体の回転方向と略同じ方向に被切断物を挿入する被切断物挿入工程とを備える。
【００１９】
ここで、第１の回転軸に対して略平行に第１の線状部材が取付けられた第１の回転体を第１の回転軸を軸に回転させると共に、第１の回転軸と略平行な第２の回転軸に対して略平行に第２の線状部材が取付けられた、かつ、第１の回転体から離れて配置された第２の回転体を、第２の回転軸を軸に第１の回転体の回転方向と逆方向に回転させる回転工程によって、第１の回転体の回転に伴って第１の線状部材を動かすことができると共に、第２の回転体の回転に伴って、第１の回転体との間の空間において第１の線状部材と略同じ方向に第２の線状部材を動かすことができる。
【００２０】
また、回転工程で回転した第１の回転体と第２の回転体との間へ、第１の回転体の回転方向および第２の回転体の回転方向と略同じ方向に被切断物を挿入する被切断物挿入工程によって、第１の回転体と第２の回転体との間の空間において、互いに略同じ方向に動いている第１の線状部材および第２の線状部材に円滑に被切断物を当てることができる。
【発明の効果】
【００２１】
本発明に係る切断機は、被切断物から切り離された部分を簡便に集めることができる。
本発明に係る切断方法は、被切断物から切り離された部分を簡便に集めることができる。
【図面の簡単な説明】
【００２２】
【図１】本発明を適用した切断機の一例を示す概略図である。
【図２】本発明を適用した切断機に植物を挿入する様子の一例を示す概略図である。
【図３】本発明を適用した切断機を用いて植物を切断する様子の一例を示す概略一部側面図である。
【図４】従来の摘採機を示す概略図である。
【発明を実施するための形態】
【００２３】
以下、本発明の実施の形態について図面を参照しながら説明し、本発明の理解に供する。
図１は、本発明を適用した切断機の一例を示す概略図である。
【００２４】
図１に示す本発明の切断機１は、第１の回転軸２Ａを軸に回転可能な第１の回転体２を備える。
また、本発明の切断機１は、第２の回転体３を備える。
【００２５】
ここで、第２の回転体３は、第１の回転軸２Ａと略平行な第２の回転軸３Ａを軸に第１の回転体２の回転方向と逆方向に回転可能である。
また、第２の回転体３は、第１の回転体２から離れて配置されている。
【００２６】
また、第１の回転体２は、第１の回転軸２Ａを軸に回転可能な、かつ、第１の回転軸２Ａに沿った方向に互いに離れて配置された一対の第１の円盤部２Ｂを有する。
【００２７】
また、第２の回転体３は、第２の回転軸３Ａを軸に回転可能な、かつ、第２の回転軸３Ａに沿った方向に互いに離れて配置された一対の第２の円盤部を有する。
【００２８】
また、本発明の切断機１は、第１の回転軸２Ａに対して略平行に第１の回転体２に取付けられた第１の線状部材６を備える。
また、本発明の切断機１は、第２の回転軸３Ａに対して略平行に第２の回転体３に取付けられた第２の線状部材７を備える。
【００２９】
ここで、第１の線状部材６は、第１の円盤部２Ｂの周縁から突出した、フック形状の第１の突起部２Ｃに着脱可能に取付けられている。
また、第２の線状部材７は、第２の円盤部３Ｂから突出した、フック形状の第２の突起部３Ｃに着脱可能に取付けられている。
【００３０】
すなわち、第１の線状部材６および第２の線状部材７は、フック形状の第１の突起部２Ｃおよび第２の突起部３Ｃにそれぞれ輪ゴムを引っ掛けて伸ばし、線状にした物である。
【００３１】
また、第１の突起部２Ｃおよび第２の突起部３Ｃはそれぞれ、第１の円盤部２Ｂおよび第２の円盤部３Ｂの周方向に沿って、所定の間隔で周縁から突出している。
【００３２】
また、第１の線状部材と第２の線状部材が互いに一番接近したときの両者の距離は、第１の線状部材と第２の線状部材の間に植物を挿入したときに、植物が第１の線状部材と第２の線状部材の両方に接触できるほどの距離である。
【００３３】
また、第１の線状部材および第２の線状部材としては、このような輪ゴムに限定されるものではないことは勿論である。例えば、両端に輪部が形成された線状のゴム体や、両端に輪部が形成された糸を用いることもできる。
【００３４】
また、第１の回転軸２Ａの一端は第１の滑車８に取付けられている。また、第１の回転軸２Ａの他端は回転軸支持板１２に回転可能に取付けられている。
【００３５】
また、第２の回転軸３Ａの一端は第２の滑車９に取付けられている。また、第２の回転軸３Ａの他端は回転軸支持板１２に回転可能に取付けられている。
【００３６】
また、第１の滑車８および第２の滑車９は、滑車支持棒１６に回転可能に取付けられている。
【００３７】
また、回転軸支持板１２は、地面に置かれた底板１３に対して略垂直に取付けられている。
また、滑車支持棒１６も、地面に置かれた底板１３に対して略垂直に取付けられている。
【００３８】
すなわち、回転軸支持板１２と滑車支持棒１６は、互いに対向している。
なお、図１において、駆動モータ１１を支持する部材の図示は省略している。
【００３９】
また、図示していないが、駆動モータ１１には、回転速度を調整するためにインバーターが取付けられている。
なお、必ずしもインバーターが取付けられていなくてもよい。
【００４０】
また、第１の滑車８および第２の滑車９には、ベルト１０が掛け回されている。
また、ベルト１０は、駆動モータ１１にも掛け回されている。
また、図１に示すように、ベルト１０は、第１の滑車８と第２の滑車９との間において１回ねじられている。
【００４１】
従って、駆動モータ１１の駆動力によってベルト１０が駆動方向１５へ動くと、第１の滑車８と第２の滑車９が回転する。
すなわち、ベルト１０と第１の滑車８との間の摩擦力によって第１の滑車８が第１の滑車回転方向８Ａに回転すると共に、ベルト１０と第２の滑車９との間の摩擦力によって第２の滑車９が、第１の滑車回転方向８Ａとは逆方向の第２の滑車回転方向９Ａに回転する。
【００４２】
また、第１の回転軸２Ａの一端は第１の滑車８に取付けられているので、第１の滑車８の第１の滑車回転方向８Ａへの回転に伴って、第１の回転軸２Ａも、第１の滑車回転方向８Ａと同じ回転方向である第１の回転方向４へ回転する。
【００４３】
従って、第１の回転軸２Ａを軸に、一対の第１の円盤部２Ｂも第１の回転方向４へ回転する。
【００４４】
また、第２の回転軸３Ａの一端は第２の滑車９に取付けられているので、第２の滑車９の第２の滑車回転方向９Ａへの回転に伴って、第２の回転軸３Ａも、第２の滑車回転方向９Ａと同じ回転方向である第２の回転方向５へ回転する。
【００４５】
すなわち、第１の回転軸２Ａを軸に回転する第１の回転体２の回転方向と、第２の回転軸３Ａを軸に回転する第２の回転体３の回転方向は、互いに逆方向である。
【００４６】
また、第１の回転体２の１分間の回転数と、第２の回転体３の１分間の回転数は、それぞれ１００〜１８０回とすることができ、好ましくは１２０〜１８０回、さらに好ましくは１４０〜１６０回、最も好ましくは１５０回とすることができる。
【００４７】
第１の回転体２の回転数と第２の回転体３の回転数が１分間に１００〜１８０回であれば、被切断物から切り離された部分を、一定の方向に安定して送出することができるので好ましい。
なお、必ずしもこのような回転数でなくてもよいことは勿論である。
また、第１の回転体２の回転数と、第２の回転体３の回転数は、互いに同じであってもよいし、互いに異なっていてもよい。
【００４８】
また、第１の回転軸２Ａおよび第２の回転軸３Ａに、さらに別のベルトを、滑車を介さずに直接、掛け回すこともできる。
この場合、別のベルトは駆動モータにも掛け回されており、駆動モータから回転動力を第１の回転軸２Ａと第２の回転軸３Ａに与えて、第１の回転軸２Ａと第２の回転軸３Ａを回転させることができる。
【００４９】
また、この場合、別のベルトは第１の回転軸２Ａと第２の回転軸３Ａとの間で１回ねじられるものとする。
また、１つの駆動モータに２つのベルトが掛け回されていてもよいし、２つの駆動モータそれぞれに、ベルトが１つずつ掛け回されていてもよい。
【００５０】
ここで、第１の回転体は、必ずしも第１の回転軸を軸に回転可能な、かつ、第１の回転軸に沿った方向に互いに離れて配置された一対の第１の円盤部を有していなくてもよい。
また、第２の回転体も、必ずしも第２の回転軸を軸に回転可能な、かつ、第２の回転軸に沿った方向に互いに離れて配置された一対の第２の円盤部を有していなくてもよい。
【００５１】
そして、第１の回転体および第２の回転体は、例えば円柱体であるものとすることができる。
しかし、第１の回転体および第２の回転体がそれぞれ、このような一対の第１の円盤部および第２の円盤部を有していれば、第１の回転体と第２の回転体との間に挿入される被切断物例えば植物から突出する突出物例えば枝があっても、第１の円盤部同士の間の空間や、第２の円盤部同士の間の空間に枝が入ることができ、第１の回転体と第２の回転体との間に植物を挿入しやすいので好ましい。
【００５２】
また、第１の線状部材は、必ずしも第１の円盤部から突出した第１の突起部に着脱可能に取付けられていなくてもよい。
また、第２の線状部材も、必ずしも第２の円盤部から突出した第２の突起部に着脱可能に取付けられていなくてもよい。
【００５３】
例えば、第１の円盤部および第２の円盤部に直接、第１の線状部材および第２の線状部材を固着することもできる。
しかし、第１の線状部材および第２の線状部材がそれぞれ、このような第１の突起部および第２の突起部に着脱可能に取付けられていれば、第１の線状部材および第２の線状部材が破損したときに、すぐに新しいものに交換できるので好ましい。
【００５４】
また、第１の線状部材および第２の線状部材は、必ずしも輪ゴムのようなゴム製でなくてもよく、例えば、金属製であってもよい。
しかし、第１の線状部材および第２の線状部材がゴム製であれば、被切断物例えば植物や、被切断物から切り離された部分例えば花や、作業者の指を傷めにくいので好ましい。
【００５５】
また、回転体の回転軸に対して略平行にせず、回転軸に対して略垂直に線状部材を回転体に取付ける、すなわち線状部材の一端のみを回転体に取付けることも考えられる。
しかし、このような構造の場合、回転体に取付けられていない線状部材の先端は自由端であり、線状部材の先端は回転体の回転により振り回されやすいため、その先端部が植物の茎にからまりやすく、茎を傷つけやすい。
【００５６】
これに対して本発明の切断機は、第１の線状部材および第２の線状部材がそれぞれ、第１の回転軸および第２の回転軸に対して略平行に第１の回転体および第２の回転体に取付けられているので、自由端はなく、植物の茎にからまることはない。
【００５７】
図２は、本発明を適用した切断機に植物を挿入する様子の一例を示す概略図である。また、図３は、本発明を適用した切断機を用いて植物を切断する様子の一例を示す概略一部側面図である。
【００５８】
本発明の切断機１を用いてカモミール２１を切断する、本発明の切断方法を説明する。
ここで、図２に示すように、カモミール２１は、茎２３と、茎２３の先端に付いた花２２とを有するものである。カモミールは、被切断物の一例である。
【００５９】
はじめに、第１の線状部材６が取付けられた第１の回転体２を第１の回転軸２Ａを軸に第１の回転方向４に回転させると共に、第１の回転軸２Ａと略平行な第２の回転軸３Ａに対して略平行に第２の線状部材７が取付けられた、かつ、第１の回転体２から離れて配置された第２の回転体３を、第２の回転軸３Ａを軸に第１の回転体の回転方向と逆方向である第２の回転方向５に回転させる。
すなわち回転工程を行なう。
【００６０】
次に、回転した第１の回転体２と、回転した第２の回転体３との間へ、第１の回転体２の第１の回転方向４および第２の回転体の第２の回転方向５と略同じ方向である挿入方向１４にカモミール２１を挿入する。
すなわち、被切断物挿入工程を行なう。
【００６１】
このとき、図２に示すように、第１の回転体２と第２の回転体３との間へ花２２を向けて、カモミール２１を挿入する。
【００６２】
図３に示すように、回転した第１の回転体２と第２の回転体３との間へ挿入された花２２は、一定の方向（図３において右方向）に送出される。
【００６３】
すなわち、第１の回転体２と第２の回転体３との間の空間において、第１の線状部材６がカモミール２１の花２２に力を付与する方向と、第２の線状部材７がカモミール２１の花２２に力を付与する方向とが略同じなので、カモミール２１の茎２３から切り離された花２２を、一定の方向（図３において右方向）に送出する。
なお、図３において、第１の線状部材および第２の線状部材を省略している。
【００６４】
以上のように、本発明の切断機は、第１の回転軸を軸に回転可能な第１の回転体と、第１の回転軸に対して略平行に第１の回転体に取付けられた第１の線状部材を備えているので、第１の回転体の回転に伴って第１の線状部材が動き、第１の線状部材が被切断物に力を付与できる。
【００６５】
また、本発明の切断機は、第１の回転軸と略平行な第２の回転軸を軸に第１の回転体の回転方向と逆方向に回転可能であり、かつ、第１の回転体から離れて配置された第２の回転体と、第２の回転軸に対して略平行に第２の回転体に取付けられた第２の線状部材を備えているので、第２の回転体の回転に伴って第２の線状部材が動き、第１の回転体との間の空間において第１の線状部材が被切断物に力を付与する方向と略同じ方向に第２の線状部材が被切断物に力を付与できる。
【００６６】
また、本発明の切断機は、第１の回転体との間の空間において第１の線状部材が被切断物に力を付与する方向と略同じ方向に第２の線状部材が被切断物に力を付与できるので、被切断物から切り離された部分を、一定の方向に送出することができる。
【００６７】
従って、本発明の切断機は、被切断物から切り離された部分を簡便に集めることができる。
【００６８】
また、本発明の切断方法は、第１の回転軸に対して略平行に第１の線状部材が取付けられた第１の回転体を第１の回転軸を軸に回転させると共に、第１の回転軸と略平行な第２の回転軸に対して略平行に第２の線状部材が取付けられた、かつ、第１の回転体から離れて配置された第２の回転体を、第２の回転軸を軸に第１の回転体の回転方向と逆方向に回転させる回転工程を備えているので、第１の回転体の回転に伴って第１の線状部材を動かすことができると共に、第２の回転体の回転に伴って、第１の回転体との間の空間において第１の線状部材と略同じ方向に第２の線状部材を動かすことができる。
【００６９】
また、本発明の切断方法は、回転工程で回転した第１の回転体と第２の回転体との間へ、第１の回転体の回転方向および第２の回転体の回転方向と略同じ方向に被切断物を挿入する被切断物挿入工程を備えているので、第１の回転体と第２の回転体との間の空間において、互いに略同じ方向に動いている第１の線状部材および第２の線状部材に円滑に被切断物を当てることができる。
【００７０】
従って、本発明の切断方法は、被切断物から切り離された部分を簡便に集めることができる。
【符号の説明】
【００７１】
１    切断機
２    第１の回転体
２Ａ  第１の回転軸
２Ｂ  第１の円盤部
２Ｃ  第１の突起部
３    第２の回転体
３Ａ  第２の回転軸
３Ｂ  第２の円盤部
３Ｃ  第２の突起部
４    第１の回転方向
５    第２の回転方向
６    第１の線状部材
７    第２の線状部材
８    第１の滑車
８Ａ  第１の滑車回転方向
９    第２の滑車
９Ａ  第２の滑車回転方向
１０    ベルト
１１    駆動モータ
１２    回転軸支持板
１３    底板
１４    挿入方向
１５    駆動方向
１６    滑車支持棒
２１    カモミール
２２    花
２３    茎
【図１】
2016195550.tif 000003
【図２】
2016195550.tif 000004
【図３】
2016195550.tif 000005
【図４】
2016195550.tif 000006